(57)【要約】【課題】金属板の外装をもつカメラにおいて、外装を大型化させることなく、確実な防水機能を具えたカメラを提供する。【解決手段】本カメラ１は、金属薄板製の外装部材として前カバー２，中カバー３，後カバー４を有し、前カバー２に沈胴可能なレンズ鏡筒２１の前面を開閉するレンズバリア５を有している。前カバー２には前リング２７が接着固定されており、レンズ鏡筒２１の固定枠２２は、上記前リング２７の開口部２７ａに嵌合して支持されるが、その嵌合部分を防水するために固定枠２２の外周と前リング２７の後側円環部２７ｄの内周部との間にリング状防水部材のゴムパッキン２５を配置して、レンズ鏡筒２１の防水構造を形成する。また、レンズバリア５の先端部が押圧されたとき、バリア先端部が前リング２７の突起部２７ｅに当接して、金属薄板部材である前カバー２の変形が防止される。【選択図】    図４
2004206011.tif 000002
【特許請求の範囲】
【請求項１】
防水機能を有し、沈胴鏡筒を具えたカメラにおいて、
光軸方向に移動する移動鏡枠および上記移動鏡枠を内部に移動自在に保護する固定枠から構成される沈胴鏡筒と、
主に金属薄板からなり、上記カメラ前面の外観面を形成し、上記移動鏡枠が通過する開口が設けられた外装部材と、
上記外装部材の開口に沿って上記外装部材内面に当接するフランジ部と、上記フランジ部から外観方向に向かってリング状に形成され、当該リング状の外周面が前記開口の内周面に嵌合し、当該リング状の内周面に前記固定枠が嵌合するような円環部とが設けられ、上記外装部材に固定される沈胴鏡筒貫通部材と、
上記カメラ内部で上記固定枠と上記沈胴鏡筒貫通部材の間に介在された防水用の弾性部材と、
を備えていることを特徴とするカメラ。
【請求項２】
さらに、上記移動鏡枠が沈胴位置にある状態の上記沈胴鏡筒の前面を覆うように上記外装部材の前面を移動自在であるレンズバリアが設けられており、上記沈胴鏡筒貫通部材の円環部の先端には、上記沈胴鏡筒の前面を覆うような位置にある上記レンズバリアの一部に当接するような突部が形成されていることを特徴とする請求項１記載のカメラ。
【請求項３】
上記突部は、少なくとも上記レンズバリアの一部に当接する部分が上記外装部材の外観面に被さるように、上記円環部の外周面から外側方向に張り出すように形成されていることを特徴とする請求項２記載のカメラ。
【発明の詳細な説明】
【０００１】
【発明の属する技術分野】
本発明は、防水機能を具えたカメラの鏡筒部まわりの構造に関する。
【０００２】
【従来の技術】
従来、カメラの外装は、プラスチックモールドの外装が一般的であったが、外観に高級感を出すため、あるいは、一層の小型化のため、アルミニウムやステンレス等の薄板を絞り加工した金属外装も利用されようとしている。しかし、操作釦取付け構造や金属板の加工制限の問題があって、金属外装のみではカバー部材として十分なものが得られなかった。そこで、金属カバーの内側にモールドカバーを貼付けた外装を適用するものが、特許文献１に提案されている。
【０００３】
一方、カメラは、屋外で使用されることが多いので防水機能を有することが必要である。カメラの防水構造に関しては、従来から種々の構造のものが提案され、各種の防水カメラが商品化されている。例えば、沈胴カメラに対しては、その鏡筒部が長い距離の直進する必要があるので、防水構造として各種のものが提案されている。例えば、特許文献２に提案されたカメラには、沈胴鏡筒を通過させるカメラ外装の前カバーの開口の内部に沈胴鏡筒の外周と摺動するようなリング状のパッキンが設けられている。上記リング状のパッキンは、モールドの外装前カバーにＶ宇状に弾性変形させた状態で組み付けられる。
【０００４】
【特許文献１】
特許文献１とは、特許公開公報平７−４３８１０号である。
【０００５】
【特許文献２】
特許文献２とは、特許公開公報平５−２４１２２７号である。
【０００６】
【発明が解決しようとする課題】
上記特許文献１に示されたカメラは、内部にモールドカバーを貼り付けた金属外装を適用するものであり、外観が金属であるという目的は達せられるが、カバーが２重になるために、カメラの小型化という点では満足できず、かえって大型化するおそれがあった。
【０００７】
また、内側のモールドカバーのない金属外装のみとするカメラを想定した場合、上記特許文献２に示したようなモールド外装を前提にしている沈胴鏡枠の防水構造は、防水パッキンを保持するための十分なスペ−スが確保できなくなるので、適用が困難であった。
【０００８】
本発明は、上述の問題点を解決するためになされたものであり、金属板の外装をもつカメラにおいて、外装を大型化させることなく、確実な防水機能を具えたカメラを提供することを目的とする。
【０００９】
【課題を解決するための手段】
本発明の請求項１記載のカメラは、防水機能を有し、沈胴鏡筒を具えたカメラにおいて、光軸方向に移動する移動鏡枠および上記移動鏡枠を内部に移動自在に保護する固定枠から構成される沈胴鏡筒と、主に金属薄板からなり、上記カメラ前面の外観面を形成し、上記移動鏡枠が通過する開口が設けられた外装部材と、上記外装部材の開口に沿って上記外装部材内面に当接するフランジ部と、上記フランジ部から外観方向に向かってリング状に形成され、当該リング状の外周面が前記開口の内周面に嵌合し、当該リング状の内周面に前記固定枠が嵌合するような円環部とが設けられ、上記外装部材に固定される沈胴鏡筒貫通部材と、上記カメラ内部で上記固定枠と上記沈胴鏡筒貫通部材の間に介在された防水用の弾性部材とを備えている。
【００１０】
本発明の請求項２記載のカメラは、請求項１記載のカメラにおいて、さらに、上記移動鏡枠が沈胴位置にある状態の上記沈胴鏡筒の前面を覆うように上記外装部材の前面を移動自在であるレンズバリアが設けられており、上記沈胴鏡筒貫通部材の円環部の先端には、上記沈胴鏡筒の前面を覆うような位置にある上記レンズバリアの一部に当接するような突部が形成されている。
【００１１】
本発明の請求項３記載のカメラは、請求項２記載のカメラにおいて、上記突部は、少なくとも上記レンズバリアの一部に当接する部分が上記外装部材の外観面に被さるように、上記円環部の外周面から外側方向に張り出すように形成されている。
【００１２】
【発明の実施の形態】
以下、本発明の実施の形態を図に基づいて説明する。
図１，２は、本発明の一実施形態としてのカメラの外観を示す斜視図であり、図１は、バリア閉状態、図２は、バリア開状態を示している。
【００１３】
本実施形態のカメラ１は、被写体の画像信号を電気信号に変換してメモリカード等に記録することが可能なデジタルカメラであり、その外装体として前カバー２と、中カバー３と、後カバー４を有しており、前カバー２には、その前面にて撮影レンズ２４の前面を開閉するスライド操作可能なレンズバリアであるレンズバリアユニット５が配置されている。
【００１４】
上記前カバー２と、中カバー３と、後カバー４は、外観面を形成する外装部材となる金属薄板により形成され、それぞれその内側には、補強および組み付けのための合成樹脂からなる各内枠部材が接着固定されている。例えば、前カバー２には内枠部材６が接着固定されている。
【００１５】
上記前カバー２には、その前面部２ｃに沈胴可能な沈胴鏡筒である撮影レンズ鏡筒２１と、ファインダ窓１２と、ストロボ発光窓１３と、セルフタイマＬＥＤ窓１４と、リモートコントロール受光窓１５とが配置されている。上記撮影レンズ鏡筒２１，ファインダ窓１２，ストロボ発光窓１３等の前面部分は、スライド可能なレンズバリアユニット５が配置されており、レンズバリアユニット５が右側閉鎖位置にあるときに上記前面部分が閉鎖されて撮影不可能な状態となり（図１）、左方開放位置にあるとき上記前面部分が開放され、撮影可能な状態となる（図２）。上記撮影可能な状態では、撮影レンズ鏡筒２１の撮影レンズ２４を保持する移動鏡枠２３は、前方の撮影位置に繰り出される。上記撮影不可能な状態では、上記移動鏡枠２３は、前カバー２内に収納される沈胴位置に繰り込まれる。
【００１６】
上記レンズバリアユニット（以下、レンズバリアと記載する）５は、後述する図４に示すように表面側の金属薄板部材であるバリア板部材５Ａと、取り付け，補強用合成樹脂部材であるバリア枠部材５Ｂとからなり、前カバー２の上下に設けられるバリアガイド溝にガイド部を摺動自在に嵌入させて装着される。
【００１７】
上記中カバー３の上面部には、レリーズスイッチ操作釦６が配置される。また、上記後カバー４の背面上部には、ファインダ接眼窓７が配置されている。
【００１８】
ここで、上記前カバー２と撮影レンズ鏡筒２１との組み付け構造について、図３〜５を用いて詳細に説明する。
図３は、上記カメラの前カバー，レンズ鏡筒の分解斜視図であり、図４は、図３のＡ−Ａ断面を示す断面図である。図５は、図４のＢ矢視図である。
【００１９】
上記前カバー２の内側には、枠形状の内枠部材６が両面接着テープにより固定され、さらに、その周囲部分は、接着剤により接着される。上記内枠部材６は、図示しないカメラ本体部を取り付け、結合するためのネジ穴が設けられるボス部６ａを有する。
【００２０】
さらに、前カバー２には、その前面部２ｃ上に前リング装着開口部２ａが設けられ、その開口部２ａには、前リング回転規制用の切り欠き部２ｂが設けられ、沈胴鏡筒貫通部材である前リング２７が接着剤２８によって固定される。
【００２１】
上記前リング２７は、図４等に示すようにリング形状鏡筒嵌合部を形成する開口部２７ａと、前側円環部２７ｂと、フランジ部２７ｃと、後側円環部２７ｄと、前側円環部２７ｂの側方、かつ、前方に突出する突部２７ｅとを有している。
【００２２】
なお、上記突部２７ｅには、レンズバリア５との当接面２７ｆと、前カバー２との当接面２７ｇと、レンズバリア先端部の外れ防止用突起２７ｈとが設けられる。
【００２３】
上記前リング２７は、その前側方円環部２７ｂを前カバー２の開口部２ａに内側から挿入し、かつ、突部２７ｅを開口部切り欠き２ｂに挿入して回転規制状態とする。そして、フランジ部２７ｃを前カバー２の開口２ａの周裏面に当接させ、接着剤２８により固定される。その固定状態で突部２７ｅの当接面２７ｇは、前カバー２の切り欠き２ｂの外側表面に当接した状態に保持される。
【００２４】
上記レンズ鏡筒２１は、図４等に示すようにカメラ本体（図示せず）に固定支持される固定枠２２と、固定枠２２の内部に進退移動可能に支持される移動鏡枠２３と、移動鏡枠２３に保持される撮影レンズ２４と、固定枠２２の外周に取り付けられ、変形可能なリング板状の防水部材であるゴムパッキン２５と、固定枠２２の内周に固定され、移動鏡枠２３に相対的に摺動自在に挿入される円形断面のリング状の防水部材であるゴムパッキン２６とを有してなる。
【００２５】
上記レンズ鏡筒２１は、前カバー２の開口部２ａに装着されている前リング２７の内周開口部２７ａに固定枠２２の外周を嵌入させて取り付けられる。その取り付け状態で固定枠側ゴムパッキン２５は、前リング２７の後側円環部２７ｄの内周面にＵ断面形状に変形した状態で密着，嵌入され、保持される。なお、このレンズ鏡筒２１における被写体像の結像位置には、図示しない撮像素子であるＣＣＤが配置されている。
【００２６】
次に、上述した構成を有する本実施形態のカメラの前カバーのレンズ鏡筒装着部の作用について説明する。
上記レンズバリア５を撮影レンズ２４を覆う閉鎖位置から開放位置にＤ2 方向にスライドさせて、撮影レンズ２４の前面を開放すると、図示しないカメラ内蔵の制御部によりレンズ鏡筒３の移動鏡枠２３が沈胴位置からＳ2 方向に向けて繰り出され、前カバー２より前方に突出した撮影可能位置（図４）に移動する。
【００２７】
撮影終了後、レンズバリア５を閉鎖方向のＤ1 方向に移動させると、上記カメラ内蔵の制御部によりレンズ鏡筒２１の移動鏡枠２３が撮影可能位置からＳ1 方向に繰り込まれ、前カバー２内の沈胴位置Ｐ1 に移動する。そして、レンズバリア５がさらに、閉鎖位置までスライド操作されると、撮影レンズ２４の前面が覆われ、カメラ収納状態となる。
【００２８】
上記カメラ収納状態にあるとき、レンズバリア５が使用者によって押圧される場合があり得る。そのときのレンズバリア５の先端側に作用するＦ0 方向の押圧力は、前カバー２側の前リング２７で受けることになる。詳しくは、押圧されたレンズバリア５の先端部が前リング２７の突部２７ｅ上のバリア当接面２７ｈの当接し、レンズバリア５の光軸Ｏ方向の傾きが規制され、その当接力は、前リング２７全体で受ける状態となる。したがって、アルミ合金等の金属薄板部材の前カバー２が局部的な変形、または、塑性変形が避けられる。さらに、突部２７ｅの当接面２７ｆの反対側（前カバー側）の当接面２７ｇが前カバー２の切り欠き部２ｂの表面に当接しているので上記押圧力によって前リング２７の接着剤２８が剥がれる等の危惧はない。
【００２９】
また、上述したように上記前カバー２とレンズ鏡筒２１との間には、前リング２７が介在しているが、前リング２７の内周開口部２７ａとレンズ鏡筒２１の固定枠２２の外周面とは、機械的分離可能に嵌合した状態であるので、その嵌合隙間を防水処理する必要がある。本実施形態においては、固定枠２２の外周に嵌め込まれたゴムパッキン２５を前リング２７の後方リング部２７ｄの密着内周面に対してＵ字状に弾性変形させ、密着させた防水構造を適用することにより、カメラ本体内への確実な防水性が確保される。
【００３０】
上述したように本実施形態のカメラ１においては、カメラ外装が金属薄板で形成されるカメラである場合、レンズバリア閉鎖状態にてレンズバリア５の先端部に作用した押圧力は、前リング２７の当接面２７ｆを介して前リング２７全体に分散して作用する。したがって、金属薄板部材の前カバー２に対してレンズバリア５の先端部の局部的な力が直接的に作用することがなく、その局部の弾性変形および塑性変形が避けられる。
【００３１】
また、前カバー２とレンズ鏡筒２１との嵌合部の隙間の防水構造として、上述したように前カバー２の接着固定される前リング２７と嵌合するレンズ鏡筒の固定枠２２との間に上記ゴムパッキン２５を密着して嵌め込む簡単な構造を適用することができ、確実な防水機能が得られる。
【００３２】
なお、本実施形態は、デジタルカメラを適用した場合を記載したが、デジタルカメラに限らず他のタイプのカメラにも本発明の要旨は、適用することが可能である。
【００３３】
【発明の効果】
上述のように本発明によると金属薄板の外装を使用したカメラにおいて、沈胴鏡筒の確実な支持とその支持部における確実な防水が可能なカメラを提供し、また、レンズバリアに作用する押圧力により上記金属薄板の外装が確実に保護されるカメラを提供することができる。
【図面の簡単な説明】
【図１】本発明の一実施形態としてのカメラの外観を示す斜視図であり、レンズバリア閉状態を示している。
【図２】上記図１のカメラの外観を示す斜視図であり、レンズバリア開状態を示している。
【図３】上記図１のカメラにおける前カバー，レンズ鏡筒の分解斜視図である。
【図４】上記図３のＡ−Ａ断面を示す断面図である。
【図５】上記図４のＢ矢視図である
【符号の説明】
２  …前カバー（外装部材）
５  …レンズバリア
２１  …レンズ鏡筒（沈胴鏡筒）
２３  …移動鏡枠
２５  …ゴムパッキン（防水部材）
２７  …前リング（レンズ鏡筒貫通部材）
２７ｂ…前側円環部（リング形状の嵌合部）
２７ｃ…フランジ部
２７ｅ…突部
２７ｆ…当接面（バリアと当接する面）
２７ｇ…当接面
（バリアと当接する面の反対面）
【図１】
2004206011.tif 000003
【図２】
2004206011.tif 000004
【図３】
2004206011.tif 000005
【図４】
2004206011.tif 000006
【図５】
2004206011.tif 000007